(57)【要約】  保持フレーム（２）が、該保持フレームに固定された少なくとも１つの光学的なエレメント（３）を備えており、該光学的なエレメント（３）が、かしめ締結、接着、係止結合、クランプ結合、収縮嵌め、超音波溶接または圧入によって当該保持フレームに結合されている。
2011528162.tif 000002
【特許請求の範囲】
【請求項１】
保持フレーム（２；１７）であって、該保持フレーム（２；１７）が、該保持フレーム（２；１７）に固定された少なくとも１つの光学的なエレメント（３）を備えている形式のものにおいて、前記光学的なエレメント（３）が、かしめ締結、接着、係止結合、クランプ結合、収縮嵌め、超音波溶接または圧入によって当該保持フレーム（２；１７）に結合されていることを特徴とする保持フレーム。
【請求項２】
前記光学的なエレメント（３）が、熱間かしめ締結によって当該保持フレーム（１７）に結合されている、請求項１記載の保持フレーム。
【請求項３】
当該保持フレーム（２；１７）が、熱可塑性のプラスチック、特にＰＰＳから成っている、請求項１または２記載の保持フレーム。
【請求項４】
前記光学的なエレメント（３）が、少なくとも、内部全反射および回折の少なくともいずれか一方を用いたビーム成形のために形成されている、請求項１から３までのいずれか１項記載の保持フレーム。
【請求項５】
前記光学的なエレメント（３）が、ＣＰＣ状の範囲、ＣＥＣ状の範囲およびＣＨＣ状の範囲の少なくともいずれか１つの範囲を有している、請求項４記載の保持フレーム。
【請求項６】
前記光学的なエレメント（３）が、切頭ピラミッド形の範囲または円錐台形の範囲を有している、請求項４または５記載の保持フレーム。
【請求項７】
当該保持フレーム（２；１７）が、前記光学的なエレメント（３）に設けられた、複数の固定用の嵌合突出部（１５）を収容するための収容範囲、特に凹部（８）を有している、請求項１から６までのいずれか１項記載の保持フレーム。
【請求項８】
請求項７記載の保持フレーム（１７）に光学的なエレメント（３）を組み付けるための方法において、当該方法が、少なくとも以下に挙げるステップ：
保持フレーム（１７）に設けられた収容範囲（８）内に、光学的なエレメント（３）に設けられた固定用の突出部（１５）を挿入し、
保持フレーム（１７）に設けられた縁曲げ縁部（１９）を、前記固定用の突出部（１５）に被さるようにかしめ締結し、特に熱間かしめ締結する、
を有することを特徴とする、保持フレームに光学的なエレメントを組み付けるための方法。
【請求項９】
請求項１から７までのいずれか１項記載の保持フレーム（２；１７）を備えた照明装置、特に車両ヘッドライトモジュールにおいて、少なくとも１つの半導体光源、特に発光ダイオード（２５）が設けられており、該半導体光源の下流側に光学的なエレメント（３）が接続されていることを特徴とする照明装置。
【請求項１０】
前記光学的なエレメント（３）が、一次的なレンズ系として半導体光源（２５）の下流側に接続されている、請求項９記載の照明装置。
【発明の詳細な説明】
【技術分野】
【０００１】
本発明は、保持フレームであって、該保持フレームが、該保持フレームに固定された少なくとも１つの光学的なエレメントを備えている形式のものに関する。さらに、本発明は、光学的なエレメントを保持フレームに組み付けるための方法および保持フレームを備えた照明装置、特に車両ヘッドライトモジュールに関する。
【０００２】
米国特許出願公開第２００５／０１２８７６２号明細書には、レンズキャリヤとガラスレンズとを有する照明装置が記載されている。ガラスレンズは、光源の手前に配置されるように形成されている。この場合、このガラスレンズ（光屈折によって結像する光学的なエレメント）はレンズキャリヤと共に組み立てられている。レンズキャリヤは光源に取り付けられており、この場合、レンズキャリヤはプラスチック材料から製造されている。ガラスレンズは、光源の方向に向けられるように形成されている背面と、光学的な前面と、前記背面と前記前面とを互いに結合する周縁部とを有している。レンズキャリヤは縁部においてレンズと係合し、この場合、このランプは、レンズキャリヤがレンズを取り囲むように射出成形（インサート成形）されることによってレンズに固定されていることにより特徴付けられており、この場合、レンズキャリヤを形成する材料はレンズの縁部を少なくとも部分的に取り囲んでいる。
【０００３】
本発明の課題は、特に、収容したい光学的なエレメントの負荷を一層低減させて、特に照明装置のための光学的なエレメントを保持するための別の有利な手段を提供することである。
【０００４】
この課題は、請求項１に記載の保持フレーム、請求項８に記載の、光学的なエレメントを組み付けるための方法および請求項９に記載の照明装置、特に車両ヘッドライトモジュールにより解決される。有利な実施態様は、請求項２〜７および請求項１０に記載されている。
【０００５】
保持フレームは、該保持フレームに固定された少なくとも１つの（１つまたは複数の）光学的なエレメントを備えている。この少なくとも１つの光学的なエレメントは、かしめ締結、接着、係止結合、クランプ結合、収縮嵌め、超音波溶接または圧入によって当該保持フレームに結合されている。
【０００６】
特に、前記光学的なエレメントが、熱間かしめ締結によって当該保持フレームに結合されているような保持フレームが有利である。熱間かしめ締結の場合、保持フレームの少なくとも一部が加熱され、この場合、保持フレームは、溶融温度に到達することなく容易に塑性変形可能となる。したがって、負荷を受けて変形させられる範囲を除いて、保持フレームの予め与えられた形状が維持される。この範囲の変形によって、前記光学的なエレメントは保持フレームに固定される。熱間かしめ締結には、次のような利点がある。すなわち、このときに加えられなければならない負荷が小さいので、光学的なエレメントも著しく負荷されなくて済む。さらに、熱間かしめ締結は、僅かな手間をかけるだけで廉価に使用可能である。射出成形法に比べて、光学的なエレメントにおける熱負荷を回避するために、射出成形法よりも低い温度レベルおよび迅速な冷却が行われるので有利である。
【０００７】
プラスチック、特に熱可塑性のプラスチック、とりわけＰＰＳ（「ポリフェニレンスルファイド」、あるいはまた「ポリ（チオ−ｐ−フェニレン）」とも呼ばれる）、特に線状のＰＰＳから成っている保持フレームが特に有利である。ＰＰＳの良好な機械的特性は、２００℃を大きく上回る温度においても維持されるので、負荷に応じて最大２４０℃までの連続使用が可能となる。短時間であれば、最大２７０℃の温度における負荷にも耐えられる。さらに卓越しているのは、ほぼ全ての溶剤、多くの酸およびアルカリ溶液に対する化学的な耐性、ならびに条件付きで高い温度における空気酸素に対する化学的な耐性である。ＰＰＳはさらに、僅かな吸水率の他に、良好な寸法安定性および固有難燃性をも有している。ＰＰＳは卓越した電気絶縁特性を有していて、たいていの液体および気体に対して高度の不透過性を有しており、しかも高い温度においても僅かなクリープ傾向しか有しておらず、かつその良好な流れ能力に基づき、長尺で小幅の成形部品および複雑な型ジオメトリ（型幾何学的形状）のためにも適している。線状のＰＰＳは、架橋ＰＰＳとは異なり、広い選択幅の加工方法により構成部品に成形され得る。
【０００８】
散乱光を特に効果的に減少させるためには、光学的なエレメントに向けられるように設けられた壁の内面が、吸光性の表面構造を有しているような保持フレームが有利である。
【０００９】
このためには、前記壁が、たとえば粗面化されていてよく、かつ／または吸光性の層で被覆されていてよい。
【００１０】
散乱光を効果的にかつ全ての側で減少させるためには、さらに、光学的なエレメントを側方で取り囲むための閉じられた環状の壁を有する保持フレームが有利である。
【００１１】
一般に、光学的なエレメントは、ビームガイドのためのいかなるエレメントであってよく、たとえば光屈折に基づいた光学的なエレメント、たとえばレンズであってよい。しかし、前記少なくとも１つの光学的なエレメントが、少なくとも、内部全反射および／または回折を用いた、つまり内部全反射および回折の少なくともいずれか一方を用いたビーム成形のために形成されているような保持フレームが有利である。
【００１２】
前記光学的なエレメントが、ＣＰＣ状の範囲、ＣＥＣ状の範囲および／またはＣＨＣ状の範囲を有していると、特に有利である。特に、ＣＰＣ状の集光器を使用することができる。この場合、「ＣＰＣ状の集光器」とは、その反射性の側壁が少なくとも部分的にかつ／または少なくとも十分に、複合放物面集光器（「Compound parabolic concentrator」、ＣＰＣ）の形を有している集光器を意味する。また、たとえば複合楕円面集光器（「Compound elliptic concentrator」、ＣＥＣ）および／または双曲線集光器（「Compound hyperbolic concentrator」、ＣＨＣ）を使用することもできる。
【００１３】
自由形状型の集光器の使用が特に有利である。集光器、特に車両ヘッドライトモジュールにおける一次レンズ系として使用される集光器は、有利には光源から二次レンズ系へ光線を投射し、かつこのときに所定の光線分配パターンを調節し、たとえば明暗境界を形成するために働くことができる。
【００１４】
しかし、択一的または付加的に、光学的なエレメントが、切頭ピラミッド形の範囲または円錐台形の範囲を有していても有利になり得る。
【００１５】
保持フレームが、前記光学的なエレメントに設けられた、複数の固定用の嵌合突出部を収容するための収容範囲、特に凹部を有していると有利である。
【００１６】
保持フレームに光学的なエレメントを組み付けるための方法は、少なくとも以下に挙げるステップ：
保持フレームに設けられた収容範囲内に、光学的なエレメントに設けられた固定用の突出部を挿入し、
保持フレームに設けられた縁曲げ縁部を、前記固定用の突出部に被さるようにかしめ締結し、特に熱間かしめ締結する、
ことから成るステップを有している。
【００１７】
照明装置、ひいては特に車両ヘッドライトモジュールは、このような保持フレームを備えていて、少なくとも１つの半導体光源、特に発光ダイオードを有しており、該半導体光源に、特に一次的なレンズ系としての光学的なエレメントが後置されている、すなわち該半導体光源の下流側に、特に一次的なレンズ系としての光学的なエレメントが接続されている。
【００１８】
光学的なエレメントはガラスまたは透明なプラスチック、有利にはシリコーンから成っていてよい。
【００１９】
以下に、本発明の実施形態を図面につき詳しく説明する。図面を見易くするために、同一の構成要素または同一作用の構成要素は同じ符号で示されている。
【図面の簡単な説明】
【００２０】
【図１】光学的なエレメントに用いられる第１実施形態による保持フレームと、該保持フレームに保持したい光学的なエレメントとを互いに分離された状態で示す、上から見た斜視図である。
【図２】光学的なエレメントに用いられる第２実施形態による保持フレームと、該保持フレーム内に挿入されたが、まだ固定されていない光学的なエレメントとを示す、上から見た斜視図である。
【図３】図２に示したシステムを、光学的なエレメントが保持フレームに固定された状態で示す、上から見た斜視図である。
【図４】図３に示したシステムを備えた照明装置を側方から見た断面図である。
【００２１】
図１には、保持フレーム２と、この保持フレーム２に固定したい光学的なエレメント３とを備えた光学システム１が図示されている。この光学システム１は典型的には１つまたは複数の光源の下流側に接続されていて、該光源から放射された光線の少なくとも一部のビーム案内のために働く。光学システム１は、たとえば照明装置の一部、特に自動車ライト、たとえばヘッドライトの一部として使用され得る。
【００２２】
保持フレーム２は、上側および下側で開いた中空のベースボディ４を有している。このベースボディ４は、閉じられた環状の厚い壁５によって形成され、この壁５は、ほぼ楕円形の貫通部輪郭を備えている。これにより形成された、ベースボディ４の内側の中空室６は、光学的なエレメント３を収容するために働く。このためには、ベースボディ４の上縁部７が、互いに向かい合って位置する凹部８の形の２つの収容範囲を有している。ベースボディ４の下側の範囲には、ライト（図示しない）に保持フレーム２を固定するための、側方に突出した４つの舌片９，１０が設けられている。保持フレーム２を案内するためには、斜めに背中合わせに位置する２つの舌片９が、鉛直に起立したガイドピン１１を有している。これらのガイドピン１１の下側の部分は保持フレーム２を位置決めするために働き、上側の部分は二次レンズ系を位置決めするために働く。別の２つの舌片１０は、固定用ねじを貫通案内するための貫通孔１２を有している。
【００２３】
保持フレーム２は、線状のＰＰＳ（ポリフェニレンサルファイド）から製造されている。ＰＰＳは、保持フレーム２における光線反射を最小限に抑えるために黒くされている。これにより、保持フレーム２に衝突する望ましくない散乱光を抑制することができる。保持フレーム２における光線反射をさらに抑制するためには、ベースボディ４もしくはその壁５の内面１３が粗面化されている。保持フレーム２からの散乱光の側方出射は、壁５の閉じた環状の形状によっても抑制される。
【００２４】
光学的なエレメント３は、非対称的な切頭ピラミッド形のベースボディ１４を備えた内部全反射型（「total internal reflection」；TIR）のレンズ系として形成されている。こうして形成された一次レンズ系は光線の発散の効果的な低減を可能にし、これにより特に、十分な明るさと、明確に規定された放射特性とを有するヘッドライトを達成することができる。
【００２５】
保持フレーム２に固定するためには、光学的なエレメント３が、２つの側方の舌片状の突出部１５を備えた相応する固定範囲を有している。突出部１５は主として固定機能のみを有していて、光学的なエレメント３の光学的特性に対しては無視し得る程度の影響しか与えない。突出部１５においてのみ固定を行うことの利点は、この場合、明暗限界が良好に規定可能となることにもある。
【００２６】
光学システム１は、光学的なエレメント３を接着により保持フレーム２と接合することによって組み立てられる。保持フレーム２における光学的なエレメント３の位置決めは、突出部１５を凹部８内に正確に嵌合するように挿入することにより行われる。凹部８および／または突出部１５には、つまり凹部８および突出部１５の少なくともいずれか一方には、予めＵＶ硬化性の接着剤が塗布されている。最適な接着結合を得るためには、接着プロセスに先立って、プラズマクリーニングプロセスもしくは活性化プロセスが行われる。
【００２７】
したがって、光学的なエレメント３は突出部１５によってのみ保持フレーム２に固定されており、その他の表面は自由となる。突出部１５が、光学的なエレメント３の、周方向において小さな面しか占めていないことに基づき、組立てにより生ぜしめられる恐れのある突出部の機械的な負荷は、光学的なエレメント３の残りの体積に対しては極めて僅かにしか作用しない。なぜならば、その場合、自由な表面によって材料中の歪みが少なくとも部分的に減少され得るからである。その結果、突出部１５における、より高い機械的負荷も、光学的なエレメント３には臨界的に作用しなくなる。使用される突出部１５が少なくなればなるほど、そして相対的な固定範囲が小さくなればなるほど、このような「負荷耐性（Belastungsgutmuetigkeit）」はますます顕著になる。
【００２８】
図２には、別の実施形態による保持フレーム１７と、この保持フレーム１７内に挿入されただけで、まだ固定されていない光学的なエレメント３とを備えた光学システム１６が示されている。保持フレーム１７のベースボディ１８の上縁部７には、切欠きを取り囲むように、それぞれ１つの直立した縁曲げ縁部１９が組み込まれている。ＴＩＲエレメントとして形成された光学的なエレメント３の上面はベースボディ１８の上縁部７とほぼ面一に整合しているので、縁曲げ縁部１９は光学的なエレメント３もしくはＴＩＲエレメントのすぐ上に付設されていて、縁曲げ縁部１９の形状は切欠きの側方の輪郭に相当している。
【００２９】
図３には、保持フレーム１７に固定された光学的なエレメント３が示されている。固定は、光学的なエレメント３に被さるように縁曲げ縁部１９を変形させることにより行われる。このことは本実施形態では、熱間かしめ締結により行われている。熱間かしめ締結は、縁曲げ縁部１９の、溶融限界よりも下にまで加熱されたプラスチック材料のかしめ締結に相当する。なぜならば、こうして小さな力を付与するだけで塑性変形を実施することができるからである。変形により、光学的なエレメント３は保持フレーム１７に所望の位置で安定的に保持される。
【００３０】
突出部１５を用いるだけで光学的なエレメント３を保持フレーム１７に固定することに基づき、光学システム１６は機械的な負荷に対して寛容となり、すなわち機械的な負荷に対して耐性を有している。光学的なエレメント３の残りの表面は、保持フレーム１７とは接触していない。内側の中空室６に沿って上方または下方から見た場合、光学的なエレメント３と保持フレーム１７との間には、突出部１５を除いて環状に自由な空間が残っている。したがって、光学的なエレメント３は内側の中空室６を閉じていない。このような「ルーズな」配置に基づき、種々様々に成形された光学的なエレメント（集光器、レンズ、回折格子等）を同じ保持フレーム１７内に挿入することが可能となる。
【００３１】
図４には、図３に示した照明装置が横断面図で図示されている。図４から判るように、光学的なエレメント３（ＴＩＲ集光器）は対称的には形成されていない。こうして、両側壁２０は互いに異なる傾斜を有しており、ただしそれにもかかわらず、両側壁２０に沿って、下側の光線入射面２１と上側の光線出射面２２との間を直接結ぶ結合線は、ほぼ真っ直ぐに延びている。さらに、光学的なエレメント３の切頭ピラミッド形の範囲２３の上方には、拡開していない延在範囲２４が続いている。この延在範囲２４には、側方の舌片も配置されている。縁曲げ縁部１９は上側の光線出射面２２の縁部のところで光学的なエレメント３をしっかりと保持している。光学的なエレメント３はその長手方向延在長さ（ｚ軸に対して平行）に沿って側方で保持フレーム１７によって完全に取り囲まれている。光学的なエレメント３の短辺側に対する図示の横断面図から判るように、光学的なエレメント３は内側の中空室６の１／３よりも少ないスペースしか占めていないが、しかしこの中空室６をほぼその全長（ｚ軸方向に沿った長さ）にわたって占めている。
【００３２】
作動時に光線は発光ダイオード２５から光学的なエレメント３の下側の光線入射面２１内に供給される（概略的にのみ図示する）。１つの共通のサブマウントに搭載された、白色光を発光する複数のＬＥＤチップから構成されている発光ダイオード２５は、下側の光線入射面２１の近傍に配置されていて、この場合、この発光ダイオード２５から放射された光線のうちの大部分が下側の光線入射面２１に入射し、僅少の部分だけが保持フレーム１７の壁５の内面１３へ放射される。発光ダイオード２５から直接に光学的なエレメント３と壁５との間の自由な中間室を貫通するように放射される光線は存在しない。内面１３の吸光性の特性に基づき、内面１３に入射した光線は吸収される。したがって、光学的なエレメント３からのみ、外方（この場合、上方）へ向かって光線が送出される。厳密に云うと、下側の光線入射面２１に入射した光線が直接に光学的なエレメント３を通って上側の光線出射面２２にまで到達し、そしてこの光線出射面２２から再び放射されるか、あるいはまた光学的なエレメント３の側壁２０に衝突した光線ビームが、内部全反射（ＴＩＲ）によって再び光学的なエレメント３内へ戻し反射される。これにより、僅かな放射線損失しか有しない所望の照明パターンが得られる。
【００３３】
当然ながら、本発明は図示の実施形態に限定されるものではない。
【００３４】
すなわち、ＰＰＳの代わりに、別のプラスチック、有利には熱可塑性のプラスチックを使用することもできる。このプラスチックは光不透過性であると有利である。また、保持フレームはプラスチックから製作されている必要もなく、たとえば金属を有していてもよい。
【００３５】
光学的なエレメントの種類は制限されていない。ほぼ切頭ピラミッド形の構造を有するＴＩＲ集光器の代わりに、たとえばほぼ円錐台形の基本形状を使用することもできる。
【００３６】
しかし、ＴＩＲ集光器の代わりに、たとえば自由形状の集光器、ＣＰＣ状の集光器、ＣＥＣ状の集光器またはＣＨＣ状の集光器を使用することもできる。
【００３７】
また、一般に偏向プリズムを使用することもできる。
【００３８】
択一的には、特に屈折性の光学的なエレメント（たとえばレンズ）および／または回折性の光学的なエレメント（たとえばフレネルゾーンプレートまたは回折格子）を保持フレーム内に保持することもできる。
【００３９】
また、たとえば１つの集光器に回折構造を被着させることにより、組み合わされた集光器／回折レンズ系を使用することも可能である。
【００４０】
光学的なエレメントは、ビーム成形のためにマイクロ構造化された表面を有していてよい（たとえばクッション構造）。
【００４１】
光学的なエレメントの固定範囲、特に固定用突出部の数および保持フレームの収容範囲の数は、制限されていない。すなわち、２つよりも多い固定範囲および対応する収容範囲が存在していてもよいし、あるいはたとえば部分的または完全に環状に延びる縁部の形の単独の固定範囲および収容範囲しか設けられていなくてもよい。
【００４２】
また、突出部よりも多い収容範囲が設けられていてもよい。
【００４３】
接着またはかしめ締結、特に熱間かしめ締結の代わりに、たとえばスナップ結合を用いた係止結合や、たとえばばねクランプを用いたクランプ結合、収縮嵌め、超音波溶接または圧入のような別の固定方法を使用することもできる。
【００４４】
スナップ結合またはクランプ結合の場合には、特に光学的なエレメントの突出部を保持フレーム内にスナップインさせるか、もしくは締付け固定することができる。この場合、組付け手間は特に少なくなる。この場合にも、突出部の使用およびその他の部分では自由な支承によって、機械的な負荷は著しく低減可能となる。
【００４５】
収縮嵌めの場合には、保持フレームが有利には光学的なエレメントの突出部に巻き掛けられるように設置され、次いで収縮させられるので、これにより光学的なエレメントは突出部によってしっかりと嵌め込まれる。収縮嵌めは熱間接合または冷間接合と、次いで冷却もしくは加熱を行うことによって実施され得る。
【００４６】
固定のための突出部は射出成形によっても保持フレームに結合され得る。たとえば全周にわたって延びる環状の固定用縁部を用いた完全に全周にわたる固定に比べて、第１に光学的なエレメントの熱負荷が大きく減少し、第２に結合部が簡単に射出成形され得るという利点が得られる。突出部だけを用いた固定の別の利点は、良好に規定された明暗境界にある。
【００４７】
光学的なエレメントはガラスまたは透明なプラスチック、特にシリコーンから成っていてよい。
【００４８】
有利には半導体光源が少なくとも１つの発光ダイオードを有している。この光源は、たとえば１つの発光ダイオードチップまたは複数の発光ダイオードチップを備えたＬＥＤモジュールとして提供され得るか、または有利には白色光線を放射する単独のハウジング封入されたＬＥＤ（「ＬＥＤランプ」）、たとえばコンバージョンＬＥＤ（Konversions-LED）として提供され得る。複数の発光ダイオードが提供される場合、これらの発光ダイオードは、たとえば同色（単色または多色）および／または互いに異なる色の光線を発光させることができる。すなわち、１つのＬＥＤモジュールが複数の個別ＬＥＤチップ（「ＬＥＤクラスタ」）を有していてよく、これらのＬＥＤチップが一緒になって白色の混合光線、たとえば「コールドホワイト（冷白色）」または「ウォームホワイト（暖白色）」の形の混合光線を生ぜしめる。白色の混合光線を発生させるためには、ＬＥＤクラスタが、基本色である赤色（Ｒ）、緑色（Ｇ）および青色（Ｂ）の光線を発光させる発光ダイオードを有していると有利である。この場合、単独の色または複数の色を、複数のＬＥＤによっても同時に発生させることができる。すなわち、ＲＧＢ、ＲＲＧＢ、ＲＧＧＢ、ＲＧＢＢ、ＲＧＧＢＢ等が可能となる。しかし、色組合せはＲ、ＧおよびＢに限定されているのではなく、たとえば白色光線を放射するＬＥＤチップをも有していてよい。暖白色の色調を発生させるためには、たとえば１つまたは複数の琥珀色のＬＥＤ「ａｍｂｅｒ（Ａ）」が設けられていてもよい。１つのＬＥＤモジュールが複数の白色の個別チップを有していてもよく、これにより光束の簡単なスケーラビリティ（Skalierbarkeit）が達成され得る。個別チップおよび／またはモジュールはビームガイドのための適当なレンズ系、たとえばフレネルレンズ、コリメータ等を備えていてよい。所定のコンタクトに、複数の同一または種々異なるＬＥＤモジュールが配置されていてよく、たとえば複数の同形式のＬＥＤモジュールが同じ基板に配置されていてよい。たとえばＩｎＧａＮまたはＡｌＩｎＧａｐを主体とした無機発光ダイオードの代わりに、またはこれに対して付加的に、一般に有機ＬＥＤ（ＯＬＥＤ）も使用可能である。また、たとえばダイオードレーザを使用することもできる。
【符号の説明】
【００４９】
１  光学システム
２  保持フレーム
３  光学的なエレメント
４  ベースボディ
５  壁
６  内側の中空室
７  上縁部
８  凹部
９  舌片
１０  舌片
１１  ガイドピン
１２  貫通孔
１３  壁の内面
１４  光学的なエレメントのベースボディ
１５  突出部
１６  光学システム
１７  保持フレーム
１８  保持フレームのベースボディ
１９  縁曲げ縁部
２０  側壁
２１  下側の光線入射面
２２  上側の光線出射面
２３  光学的なエレメントの切頭ピラミッド形の範囲
２４  延在範囲
２５  発光ダイオード
【図１】
2011528162.tif 000003
【図２】
2011528162.tif 000004
【図３】
2011528162.tif 000005
【図４】
2011528162.tif 000006
【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
保持フレーム（２；１７）であって、該保持フレーム（２；１７）が、該保持フレーム（２；１７）に固定された少なくとも１つの光学的なエレメント（３）を備えている形式のものにおいて、前記光学的なエレメント（３）が、かしめ締結、接着、係止結合、クランプ結合、収縮嵌め、超音波溶接または圧入によって当該保持フレーム（２；１７）に結合されていることを特徴とする保持フレーム。
【請求項２】
前記光学的なエレメント（３）が、熱間かしめ締結によって当該保持フレーム（１７）に結合されている、請求項１記載の保持フレーム。
【請求項３】
当該保持フレーム（２；１７）が、熱可塑性のプラスチックから成っている、請求項１または２記載の保持フレーム。
【請求項４】
前記光学的なエレメント（３）が、内部全反射および回折の少なくともいずれか一方を用いたビーム成形のために形成されている、請求項１から３までのいずれか１項記載の保持フレーム。
【請求項５】
前記光学的なエレメント（３）が、ＣＰＣ状の範囲、ＣＥＣ状の範囲およびＣＨＣ状の範囲の少なくともいずれか１つの範囲を有している、請求項４記載の保持フレーム。
【請求項６】
前記光学的なエレメント（３）が、切頭ピラミッド形の範囲または円錐台形の範囲を有している、請求項４または５記載の保持フレーム。
【請求項７】
当該保持フレーム（２；１７）が、前記光学的なエレメント（３）に設けられた、複数の固定用の嵌合突出部（１５）を収容するための収容範囲（８）を有している、請求項１から６までのいずれか１項記載の保持フレーム。
【請求項８】
請求項７記載の保持フレーム（１７）に光学的なエレメント（３）を組み付けるための方法において、当該方法が、少なくとも以下に挙げるステップ：
保持フレーム（１７）に設けられた収容範囲（８）内に、光学的なエレメント（３）に設けられた固定用の突出部（１５）を挿入し、
保持フレーム（１７）に設けられた縁曲げ縁部（１９）を、前記固定用の突出部（１５）に被さるようにかしめ締結する、
を有することを特徴とする、保持フレームに光学的なエレメントを組み付けるための方法。
【請求項９】
保持フレーム（１７）に設けられた縁曲げ縁部（１９）のかしめ締結を、熱間かしめ締結により行う、請求項８記載の方法。
【請求項１０】
請求項１から７までのいずれか１項記載の保持フレーム（２；１７）を備えた照明装置において、発光ダイオード（２５）を含む少なくとも１つの半導体光源が設けられており、該半導体光源の下流側に光学的なエレメント（３）が接続されていることを特徴とする照明装置。
【請求項１１】
前記光学的なエレメント（３）が、一次的なレンズ系として半導体光源（２５）の下流側に接続されている、請求項１０記載の照明装置。
【国際調査報告】
2011528162.tif 000007
2011528162.tif 000008
2011528162.tif 000009
2011528162.tif 000010
2011528162.tif 000011
2011528162.tif 000012
2011528162.tif 000013
2011528162.tif 000014